【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
対向するように設けられた第１の電極と第２の電極との間に、
第１の層と、第２の層と、第３の層と、
を有し、
前記第１の層は、電子または正孔のいずれか一方の移動度に対する他方の移動度の比の値が１００以下である第１の物質と、前記第１の物質に対して電子受容性を示す第２の物質とを含み、
前記第２の層は、電子または正孔のいずれか一方の移動度に対する他方の移動度の比の値が１００以下である第３の物質と、前記第３の物質に対して電子供与性を示す第４の物質とを含み、
前記第３の層は、発光物質を含み、
前記第１の層と前記第２の層と前記第３の層とは順に積層され、
前記第１の層は、前記第１の電極と接し、
前記第３の層は、前記第２の電極と接し、
前記第１の電極の電位よりも前記第２の電極の電位の方が高くなるように電圧を印加したときに発光する
ことを特徴とする発光素子。
【請求項２】
対向するように設けられた第１の電極と第２の電極との間に、
第１の層と、第２の層と、第３の層と、
を有し、
前記第１の層は、電子または正孔のいずれか一方の移動度に対する他方の移動度の比の値が１００以下である第１の物質と、前記第１の物質に対して電子受容性を示す第２の物質とを含み、
前記第２の層は、電子または正孔のいずれか一方の移動度に対する他方の移動度の比の値が１００以下である第３の物質と、前記第３の物質に対して電子供与性を示す第４の物質とを含み、
前記第３の層は、発光物質を含み、
前記第１の層は、前記第２の層よりも前記第１の電極側に設けられ、
前記第３の層は、前記第２の層よりも前記第２の電極側に設けられ、
前記第１の電極の電位よりも前記第２の電極の電位の方が高くなるように電圧を印加したときに、発光する
ことを特徴とする発光素子。
【請求項３】
請求項１または請求項２に記載の発光素子において、前記第１の物質と前記第３の物質とは同じであることを特徴とする発光素子。
【請求項４】
請求項１乃至請求項３のいずれか一項に記載の発光素子において、前記第２の物質は、前記第１の物質に対し、０．５以上２以下のモル比となるように含まれていることを特徴とする発光素子。
【請求項５】
対向するように設けられた第１の電極と第２の電極との間に、
第１の層と、第２の層と、第３の層と、
を有し、
前記第１の層は、一般式（１）または一般式（２）のいずれかで表される第１の物質と、前記第１の物質に対して電子受容性を示す第２の物質とを含み、
前記第２の層は、一般式（１）または一般式（２）のいずれかで表される第３の物質と、前記第３の物質に対して電子供与性を示す第４の物質とを含み、
前記第３の層は、発光物質を含み、
前記第１の層と前記第２の層と前記第３の層とは順に積層され、
前記第１の層は、前記第１の電極と接し、
前記第３の層は、前記第２の電極と接し、
前記第１の電極の電位よりも前記第２の電極の電位の方が高くなるように電圧を印加したときに発光する
ことを特徴とする発光素子。
【化０１】
2006179869.tif 000001
（式中、Ｒ１〜Ｒ４は、それぞれ、水素、アルキル基のいずれか、または、Ｒ１とＲ２、Ｒ２とＲ３、Ｒ３とＲ４とが、それぞれ、結合して芳香環を表す。Ａｒ１〜Ａｒ４は、それぞれ独立に、炭素数６〜１４のアリール基を表す。）
【化０２】
2006179869.tif 000002
（式中、Ａｒ１１〜Ａｒ１４は、それぞれ独立に、炭素数６〜１４のアリール基を表す。）
【請求項６】
対向するように設けられた第１の電極と第２の電極との間に、
第１の層と、第２の層と、第３の層と、
を有し、
前記第１の層は、一般式（１）または一般式（２）のいずれかで表される第１の物質と、前記第１の物質に対して電子受容性を示す第２の物質とを含み、
前記第２の層は、一般式（１）または一般式（２）のいずれかで表される第３の物質と、前記第３の物質に対して電子供与性を示す第４の物質とを含み、
前記第３の層は、発光物質を含み、
前記第１の層は、前記第２の層よりも前記第１の電極側に設けられ、
前記第３の層は、前記第２の層よりも前記第２の電極側に設けられ、
前記第１の電極の電位よりも前記第２の電極の電位の方が高くなるように電圧を印加したときに発光する
ことを特徴とする発光素子。
【化０３】
2006179869.tif 000003
（式中、Ｒ１〜Ｒ４は、それぞれ、水素、アルキル基のいずれか、または、Ｒ１とＲ２、Ｒ２とＲ３、Ｒ３とＲ４とが、それぞれ、結合して芳香環を表す。Ａｒ１〜Ａｒ４は、それぞれ独立に、炭素数６〜１４のアリール基を表す。）
【化０４】
2006179869.tif 000004
（式中、Ａｒ１１〜Ａｒ１４は、それぞれ独立に、炭素数６〜１４のアリール基を表す。）
【請求項７】
請求項５または請求項６に記載の発光素子において、前記第１の物質と前記第３の物質とが同じであることを特徴とする発光素子。
【請求項８】
対向するように設けられた第１の電極と第２の電極との間に、
電子または正孔のいずれか一方の移動度に対する他方の移動度の比の値が１００以下である第１の物質を含む第１の層と、
発光物質を含む第２の層と、
を有し、
前記第１の層は、
前記第１の物質に対して電子受容性を示す第２の物質をさらに含む第１の領域と、
前記第１の物質に対して電子供与性を示す第３の物質をさらに含む第２の領域と、
を有し、
前記第１の領域は前記第２の領域よりも前記第１の電極側に設けられ、
前記第１の電極の電位よりも前記第２の電極の電位の方が高くなるように電圧を印加したときに発光する
ことを特徴とする発光素子。
【請求項９】
対向するように設けられた第１の電極と第２の電極との間に、
一般式（１）または一般式（２）で表される第１の物質を含む第１の層と、
発光物質を含む第２の層と、
を有し、
前記第１の層は、
前記第１の物質に対して電子受容性を示す第２の物質をさらに含む第１の領域と、
前記第１の物質に対して電子供与性を示す第３の物質をさらに含む第２の領域と、
を有し、
前記第１の領域は前記第２の領域よりも前記第１の電極側に設けられ、
前記第１の電極の電位よりも前記第２の電極の電位の方が高くなるように電圧を印加したときに発光する
ことを特徴とする発光素子。
【化０５】
2006179869.tif 000005
（式中、Ｒ１〜Ｒ４は、それぞれ、水素、アルキル基のいずれか、または、Ｒ１とＲ２、Ｒ２とＲ３、Ｒ３とＲ４とが、それぞれ、結合して芳香環を表す。Ａｒ１〜Ａｒ４は、それぞれ独立に、炭素数６〜１４のアリール基を表す。）
【化０６】
2006179869.tif 000006
（式中、Ａｒ１１〜Ａｒ１４は、それぞれ独立に、炭素数６〜１４のアリール基を表す。）
【請求項１０】
請求項８または請求項９に記載の発光素子において、前記第２の物質若しくは前記第３の物質は、前記第１の物質に対し、０．５〜２のモル比となるように含まれていることを特徴とする発光素子。
【請求項１１】
対向するように設けられた第１の電極と第２の電極との間に、
第１の層と、第２の層と、第３の層と、
を有し、
前記第１の電極は、５０％以上１００％以下の反射率を有する導電物から成り、
前記第２の電極は、可視光を透過できる導電物から成り、
前記第１の層は、電子または正孔のいずれか一方の移動度に対する他方の移動度の比の値が１００以下である第１の物質と、前記第１の物質に対して電子受容性を示す第２の物質とを含み、
前記第２の層は、電子または正孔のいずれか一方の移動度に対する他方の移動度の比の値が１００以下である第３の物質と、前記第３の物質に対して電子供与性を示す第４の物質とを含み、
前記第３の層は、発光層を含みｘ層（ｘは２以上の任意の正の整数）から成る層であり、
前記第１の層と前記第２の層と前記第３の層とは順に積層され、
前記第１の層は、前記第１の電極と接し、
前記第３の層における第１層目の層は、前記第２の層と接し、
前記第３の層における第ｘ層目の層は、前記第２の電極と接し、
前記発光層と前記第２の層との間には、ｙ層（ｙ＜ｘ、ｙは正の整数）の層を有し、
前記第１の電極の電位よりも前記第２の電極の電位の方が高くなるように電圧を印加したときに発光し、
前記第１の層の厚さと前記第２の層の厚さは、数式（１）、数式（２）、数式（３）を満たすように調節されている
ことを特徴とする発光素子。
【数０１】
2006179869.tif 000007
（数式（１）、数式（２）、数式（３）において、ｎｉは第１の層の屈折率、ｄｉは第１の層の厚さ、ｎｉｉは第２の層の屈折率、ｄｉｉは第２の層の厚さ、ｎｋは発光層と第２の層との間に含まれる層の中の第ｋ番目（ｋは自然数）の層の屈折率、ｄｋは発光層と第２の層との間に含まれる層の中の第ｋ番目の層の厚さ、ｎｊは発光層の屈折率、ｄｊは発光層における第１の電極側の界面から発光領域までの距離、λは発光素子からの発光の波長、ｍは任意の正の整数、ｄｅｍｉは発光層の厚さを表す。）
【請求項１２】
請求項１１に記載の発光素子において、前記第１の物質と前記第３の物質とが同じであることを特徴とする発光素子。
【請求項１３】
請求項１乃至請求項１２のいずれか一項に記載の発光素子を画素部に含むことを特徴とする発光装置。
【請求項１４】
請求項１３に記載の発光装置を表示部として用いていることを特徴とする電子機器。